(57)【特許請求の範囲】
【請求項１】
物品への放射による検査に使用される検出容器において、
底部（３２）と側壁（３１）とを備え、前記底部（３２）と前記側壁（３１）の下端とを結合することにより、前記底部（３２）の上方において前記側壁（３１）に包囲されたスペースが形成され、
前記スペースを複数のサブスペースに仕切り、各サブスペースに物品を置くことを可能にする分割部材（３５）を更に備え、
前記検出容器を置くための回転ディスク上の対応する位置決め孔へ挿入可能に前記底部の下面に設けられ、前記位置決め孔に挿入されるとき、前記回転ディスクの回転中において前記検出容器と前記回転ディスクとの相対運動を防止する一つ又は複数の突起（３２Ａ、３２Ｂ、３２Ｃ）を更に備え、
前記側壁（３１）の外面に設けられた筋（３４）を更に備え、疑わしい物品が検出された場合、前記筋に対する前記疑わしい物品の角度に基づいて前記疑わしい物品の識別を可能にする、
検出容器。
【請求項２】
掴んだり運搬したりしやすくするために前記側壁（３１）の頂部に凸縁（３３）が設けられた、請求項１に記載の検出容器。
【請求項３】
前記物品を固定させるために前記側壁（３１）の内面に設けられた輪ゴム、ボタン付の包帯又はバネ付の圧板をさらに含む、請求項１又は２に記載の検出容器。
【請求項４】
前記複数の突起（３２Ａ、３２Ｂ、３２Ｃ）は円周方向に沿って分布する、請求項１に記載の検出容器。
【請求項５】
前記分割部材（３５）は複数の分岐を有する、請求項１に記載の検出容器。
【請求項６】
前記分割部材（３５）は前記底部（３２）及び前記側壁（３１）と脱装可能又は一体となることができる、請求項１に記載の検出容器。
【請求項７】
前記側壁（３１）は弾性材料で製造される、請求項１に記載の検出容器。
【請求項８】
前記分割部材（３５）は弾性材料で製造される、請求項１に記載の検出容器。
【請求項９】
前記複数の分岐のそれぞれの断面はＳ形である、請求項５に記載の検出容器。
【請求項１０】
前記側壁（３１）は円錐台状である、請求項１に記載の検出容器。
【請求項１１】
前記側壁（３１）は円柱状である、請求項１に記載の検出容器。
【請求項１２】
前記突起（３２Ａ、３２Ｂ、３２Ｃ）は円錐状である、請求項１に記載の検出容器。
【請求項１３】
前記底部（３２）の上面のうち、前記複数のサブスペースに対応する領域が互いに異なる色に塗布されている、請求項１に記載の検出容器。
【請求項１４】
前記側壁（３１）が中空である、請求項１に記載の検出容器。
【発明の詳細な説明】
【技術分野】
【０００１】
本発明は、放射線による結像により物品検出を行う技術分野に関し、特に放射線源から放射される放射線により、液体を収容した物品（以下「液体収容物品」という）を検出する検出容器に関する。
【背景技術】
【０００２】
従来、放射線源から放射される放射線により、液体収容物品を検出する設備は、毎回瓶毎に検出することしかできないため、検出効率が低い。また、被検体が回転ディスク上に直接置かれるので、形状が細長くて不規則な被検体の場合、検出時に、不安定になりがちなので、検出効果に影響を及ぼすか、又は検出時間が更に長くなるため、検出効率が低下する。
【先行技術文献】
【特許文献】
【０００３】
【特許文献１】米国特許出願公開第２００６／０２３９４０２Ａ１号明細書
【発明の概要】
【発明が解決しようとする課題】
【０００４】
従来技術における上述の欠点に鑑み、本発明は複数の瓶を同時に検出できる検出容器を提供することを目的とする。
【課題を解決するための手段】
【０００５】
本発明の一局面による検出容器は、
物品への放射による検査に使用される検出容器において、
底部（３２）と側壁（３１）とを備え、前記底部（３２）と前記側壁（３１）の下端とを結合することにより、前記底部（３２）の上方において前記側壁（３１）に包囲されたスペースが形成され、
前記スペースを複数のサブスペースに仕切り、各サブスペースに物品を置くことを可能にする分割部材（３５）を更に備え、
前記検出容器を置くための回転ディスク上の対応する位置決め孔へ挿入可能に前記底部の下面に設けられ、前記位置決め孔に挿入されるとき、前記回転ディスクの回転中において前記検出容器と前記回転ディスクとの相対運動を防止する一つ又は複数の突起（３２Ａ、３２Ｂ、３２Ｃ）を更に備え、
前記側壁（３１）の外面に設けられた筋（３４）を更に備え、疑わしい物品が検出された場合、前記筋に対する前記疑わしい物品の角度に基づいて前記疑わしい物品の識別を可能にすることを特徴とする。
掴んだり運搬したりしやすくするために前記側壁（３１）の頂部に凸縁（３３）が設けられていることが好ましい。
また、前記物品を固定させるために前記側壁（３１）の内面に設けられた輪ゴム、ボタン付の包帯又はバネ付の圧板をさらに含むことが好ましい。
また、前記複数の突起（３２Ａ、３２Ｂ、３２Ｃ）は円周方向に沿って分布することが好ましい。
また、前記分割部材（３５）は複数の分岐を有することが好ましい。
また、前記分割部材（３５）は前記底部（３２）及び前記側壁（３１）と脱装可能又は一体となることができることが好ましい。
また、前記側壁（３１）は弾性材料で製造されることが好ましい。
また、前記分割部材（３５）は弾性材料で製造されることが好ましい。
また、前記複数の分岐のそれぞれの断面はＳ形であることが好ましい。
また、前記側壁（３１）は円錐台状又は円柱状であることが好ましい。
また、前記突起（３２Ａ、３２Ｂ、３２Ｃ）は円錐状であることが好ましい。
また、前記底部（３２）の上面のうち、前記複数のサブスペースに対応する領域が互いに異なる色に塗布されていることが好ましい。
また、前記側壁（３１）が中空であることが好ましい。
【発明の効果】
【０００６】
本発明の複数の瓶を検出できる検出容器によれば、毎回複数瓶の液体収容物品を検出できるので、物品の検出効率が向上する。
【図面の簡単な説明】
【０００７】
下記図面を参照しながら発明を詳しく説明することにより、本発明の上述の特徴及び利点はより明らかになる。
【図１】図１は本発明の第２実施形態における検出容器の構造を示す図である。
【図２】図２は図１に示す検出容器のＢから見た図である。
【図３】図３は図１に示す検出容器のＣから見た図である。
【発明を実施するための形態】
【０００８】
以下に、添付図面を参照しながら、本発明に係る好ましい実施の形態を詳しく説明する。添付図面において、同一の図面記号が異なる図面中の同一又は類似する部材を表している。明確かつ簡明になるために、本発明に含まれる既知の機能及び構造に関する詳細な記載を、本発明の主題が不明確になることを避けるように省略する。
図１は本発明の第１実施形態における検出容器の構造を示す図である。図１に示すように、第１実施形態における検出容器３が、底部３２と、底部とを結合する側壁３１とを含む。同様に、底部の下面に複数の円錐状の突起３２Ａ、３２Ｂ及び３２Ｃが設けられている。この３つの円錐状の突起が回転ディスク２上の対応する位置決め孔に挿入できるので、回転ディスクの回転時に、検出容器３が回転ディスク２とともに回転し、両者間の相対運動の発生を防止できる。また、図１に示すように、利用者が掴んだり、運搬したりしやすくするために、側壁３１の頂部にその周囲を一周する凸縁３３が設けられている。側壁３１が弾性材料、例えばポリエチレン（ＰＥ）又はアルミニウムで製造できる。さらに、側壁３１は中空であってもよい。これにより、検出容器の製造に必要な材料を節約することができる。
図２は図１に示す検出容器のＢから見た図であり、図３は図１に示す検出容器のＣから見た図である。図面に示すように、底部３２と側壁３１とで形成されたスペースに、当該スペースが必要に応じてそれぞれ液体収容物品を置くための複数のスペースに仕切られる分割部材３５が設けられている。これにより、複数の液体収容物品を同時に検出する必要がある場合、これらの複数の液体収容物品を、それぞれ分割部材３５により仕切られるスペースに置いて、同時に検出する。また、検出時の検出容器内の物品の位置決めが便利となるように、側壁の外面に筋３４が設けられている。たとえば、検出容器内の４つの物品のうち、一つ疑わしい瓶があった場合、当該物品の、側壁３１に設けられた筋に対する角度に基づいて、ユーザーにどれが疑わしいかを伝えることができる。
また、底部３２の上面のうち、分割部材３５によって仕切られたスペースと対応する部分を異なる色に塗布することもできるので、ユーザーの各仕切られたスペースの識別がより便利となる。図２に示すように、底部３２の上面において、各領域がそれぞれ緑色、黄色、青色、及び赤色に塗布されている。
そして、代案として、分割部材３５を側壁３１及び底部３２から脱装可能なものにすることも考えられる。これにより、サイズが大きい液体収容物品の場合、それを分割板のない検出容器に直接入れ、かつ上述した輪ゴム、ボタン付の包帯、バネ付の圧板などにより一時的に固定させることで、検出が便利になる。比較的小さい物品の場合、分割部材３５を側壁に挿入することで、大きいスペースを小さいスペースに仕切って、複数の物品を、対応するスペースに入れることにより、検出効率が向上する。当然の如く、分割部材３５が側壁及び底部と脱装不可能にされていてもよい。なお、分割部材３５が弾性材料、例えばポリエチレン（ＰＥ）又はアルミニウムで製造できているものであってもよい。
また、上述した輪ゴム、ボタン付の包帯、バネ付の圧板などを、分割部材３５により仕切られたスペースに用いることもできる。このようにして、更に小さい物品の場合であっても、それぞれのスペースに一時的に固定させることもできる。
以上のように、側壁３１が円錐台状にされてもよいので、未使用の状態下で、複数の検出容器を重ねて置くことができるので、これらの検出容器を保存するスペースを省くことができる。
また、もう一つ代案として、側壁３１を円柱状、又は四角形などの形状、あるいは前記形状の組合せにしてもよい。
前記検出容器３において、分割部材３５は１本又は複数本であってもよい。これにより、容器内部スペースが複数のサブスペースに仕切られ、物品を一時的に固定させるとともに、検出効率が向上する。また、物品を輪ゴム、ボタン付の包帯、バネ付の圧板などにより容器内部に固定させることもできる。さらに、位置を識別しやすく、かつ小さい物品を入れ、固定しやすくように、異なる色を塗布することにより異なる領域を示すこともできる。
図に示した分割部材３５の各分岐は平板状であるが、曲面であってもよい。たとえば、容器の内部スペースを二つのサブスペースに仕切る必要がある場合、分割板３５を横断面がＳ状となる曲面にすることができるので、断面が円形の物品を検出する場合、物品をより確実に固定させることができる。
上述の記載は本発明の実施形態をなすための内容にすぎない。当業者にとって、本発明の範囲から外れない限り、各種の修正又は一部の変形はすべて本発明の特許請求の範囲により特定された範囲に含まれると理解されるべきである。したがって、本発明の保護範囲は特許請求の範囲の保護範囲を基準とする。
【符号の説明】
【０００９】
１  検出容器
２  回転ディスク
３  検出容器
３１  側壁
３２  底部
３２Ａ、３２Ｂ、３２Ｃ  突起
３３  凸縁
３４  筋
３５  分割部材
【図１】
0005400778.tif 000002
【図２】
0005400778.tif 000003
【図３】
0005400778.tif 000004